(57)【特許請求の範囲】
【請求項１】
被制御部を制御する制御手段と、
前記制御手段に、前記被制御部を制御するための操作信号を出力する操作手段と、
前記操作手段に、複数の操作形態を割り当てる設定手段と、
を有する操作装置であって、
前記操作手段は、前記設定手段により割り当てられた複数の操作形態から、前記操作装置の状態に基づいて選択された操作形態による操作に応じて、前記制御手段に前記操作信号を出力する、
ことを特徴とする操作装置。
【請求項２】
前記設定手段により、前記操作手段に割り当てられた複数の操作形態を記憶する記憶手段と、
前記記憶手段に記憶された複数の操作形態を前記操作手段に割り当てるプリセット手段と、を有する、ことを特徴とする請求項１に記載の操作装置。
【請求項３】
前記操作手段は、ハードキー又はソフトキー又はその両方を有する、ことを特徴とする請求項１又は２に記載の操作装置。
【請求項４】
前記設定手段が表示される表示部を有する、ことを特徴とする請求項１乃至３のいずれか１項に記載の操作装置。
【請求項５】
前記状態は、前記操作装置へのタリー信号の入力の有無、前記複数の操作形態が割り当てられた操作手段以外の操作手段に対する操作の有無、のうちの少なくとも１つである、ことを特徴とする請求項１乃至４のいずれか１項に記載の操作装置。
【請求項６】
前記複数の操作形態は、
前記操作手段に割り当てられた機能の無効化、
前記割り当てられた機能を実行又は停止するために必要な前記操作手段の操作回数、
前記割り当てられた機能を実行又は停止するために必要な前記操作手段の操作時間、
前記操作手段を操作するたびに選択候補の選択肢が順次変更されるサイクリック動作、のうちの少なくとも１つを含むことを特徴とする請求項１乃至５のいずれか１項に記載の操作装置。
【請求項７】
前記選択された操作形態に基づいて、前記操作手段の色が変化する、ことを特徴とする請求項１乃至６のいずれか１項に記載の操作装置。
【請求項８】
レンズ装置と、
前記レンズ装置による被写体像を撮像する撮像装置を備えるカメラ装置と、
請求項１乃至７のいずれか１項に記載の操作装置と、を備え、
前記操作装置により前記カメラ装置が操作される、ことを特徴とする撮影装置。
【請求項９】
レンズ装置と、
前記レンズ装置による被写体像を撮像する撮像装置を備えるカメラ装置と、
前記カメラ装置が載置される雲台装置と、
請求項１乃至７のいずれか１項に記載の操作装置と、を備え、
前記操作装置により前記カメラ装置及び前記雲台装置が操作される、ことを特徴とする撮影装置。
【発明の詳細な説明】
【技術分野】
【０００１】
本発明は、カメラや雲台装置等の電子機器を操作するための操作装置及びそれを備える撮影装置に関するものである。
【背景技術】
【０００２】
従来、デジタルカメラ、ビデオカメラ、又は、リモコンカメラの操作パネルやコピー機の操作パネルには、カメラ、装置の制御を行うための操作キーとして、ハードキー、又は、タッチパネル等の画面上のソフトキー、又は、その両方を兼備していることが知られている。このような操作キーにおいて、特許文献１には、操作キーの誤操作防止のため、操作キーを保護部材で囲い保護部材の開閉により操作キーの誤操作を防止することが開示されている。
【０００３】
また、他の誤操作防止として、特許文献２には、操作キーを２回押下することで所定の機能を実行させることが開示されている。
上述の誤操作防止以外に、特許文献３には、ユーザーが頻繁に使用する所望の機能を複数のキーに割り当て、１回の押下で実行できるようにしたことが開示されている。
【先行技術文献】
【特許文献】
【０００４】
【特許文献１】特開平５−３７１６６号公報
【特許文献２】特開２００５−２００７０号公報
【特許文献３】特開２００５−２６６９９１号公報
【発明の概要】
【発明が解決しようとする課題】
【０００５】
特許文献１は、操作キーの誤操作防止のため保護部材が必要でありコストアップとなる。また、保護部材の開閉を行わなければならないのでユーザーにとって操作性が良いというわけではない。
【０００６】
特許文献２は、操作キーの誤操作防止のため操作キーを２回押下しなければならないので、操作の慣れたユーザーにとっては煩わしい。
【０００７】
特許文献３は、割り当てられた操作キーの１回の押下で機能が実行されてしまうため操作キーの誤操作防止が考慮されているわけではない。
【０００８】
一般的に、上記の先行技術においては、操作キーを１回又は２回押下で機能が実行又は停止する等の操作キーの操作形態は、開発者の意図により設定されており、必ずしもユーザーの意図する操作キーの操作形態となっているわけではない。このため、先行技術の操作キーの操作形態は、必ずしもユーザーの使用しやすいものではなかった。
【０００９】
本発明の目的は、上述の問題点を解消し、ユーザーが操作装置の操作形態を任意に設定することを可能にした操作装置及びそれを備えた撮影装置を提供することである。
【課題を解決するための手段】
【００１０】
上記目的を達成するための本発明に係る操作装置は、被制御部を制御する制御手段と、前記制御手段に、前記被制御部を制御するための操作信号を出力する操作手段と、前記操作手段に、複数の操作形態を割り当てる設定手段と、を有する操作装置であって、前記操作手段は、前記設定手段により割り当てられた複数の操作形態から、前記操作装置の状態に基づいて選択された操作形態による操作に応じて、前記制御手段に前記操作信号を出力する、ことを特徴とする。
【発明の効果】
【００１１】
本発明に係る操作装置は、ユーザーが操作手段の操作形態を任意に設定することを可能にした操作装置及びそれを備えた撮影装置を提供することができる。
【図面の簡単な説明】
【００１２】
【図１】実施例１の構成図。
【図１ａ】実施例１の操作パネル部の構成図。
【図２】実施例１のフローチャート図。
【図３】実施例２のフローチャート図。
【図４】実施例２の設定メニュ画面例。
【図５】実施例２の設定画面例。
【図６】実施例２の操作画面例。
【発明を実施するための形態】
【００１３】
本発明を図示の実施例に基づいて詳細に説明する。
【実施例１】
【００１４】
図１は本発明の実施例１のリモコンカメラの操作器（操作装置）およびそれを有するリモコンカメラシステム（撮影装置）の要部構成図である。図１において、ズーミングやフォーカシング機能等を有する撮影レンズを有し該レンズによる被写体像を撮像するカメラ装置としてのカメラ１は、パンニング（横方向の駆動）及びチルティング（縦方向の駆動）等の旋回動作が可能な雲台装置としての電動雲台２に取り付けられている（載置されている）。カメラ１、電動雲台２は、遠隔に設置された操作装置としての操作器３により、ズーミングや画像のゲイン調整等のカメラ１の各種制御、パンニングやチルティング等の電動雲台２の各種制御が行われるようになっている。
【００１５】
操作器３は、操作パネル部４、制御手段としてのＣＰＵ１２及び雲台・カメラ制御インタフェース部１３、記憶手段としてのメモリ１４、タリー信号入力部１５で構成されている。
【００１６】
操作パネル部４は、図１ａに示すように、カメラ１のＰＯＷＥＲ、ＧＡＩＮ等のカメラ制御を行うための操作信号（操作信号）を出力するための操作手段としての複数のハードキー５ａ〜５ｆ、そして、各ハードキーと併用、又は、各ハードキー以外に割り当てられたカメラ１、電動雲台２の設定を行うタッチパネル付き表示部６等の設定手段が取り付けられている。また、複数のハードキー５ａ〜５ｆ以外の操作手段として、電動雲台２をパンニング、チルティングするためのジョイスティック、十字キー等の操作部７、ズームレバー８、フォーカスつまみ９、アイリスつまみ１０等が取り付けられている。さらに、操作パネル部４には、電動雲台２のパン、チルト位置、カメラ１のズーム、フォーカス位置等を記憶し、再生する、複数のショットキー１１ａ〜１１ｈ等の設定手段も実装されている。なお、ショットキーはハードキーの一種である。
【００１７】
ＣＰＵ（制御手段）１２は、操作パネル部４の各操作部材５〜１１と接続され、操作手段又は設定手段としての各操作部材５〜１１で操作された信号を受信し、雲台・カメラ制御インタフェース部（制御手段）１３を介して、被制御部であるカメラ１、電動雲台２に制御信号を出力（送信）する。本実施例では、カメラ１や電動雲台２が、操作パネル部４と別体となっているが、デジタルカメラやビデオカメラのようにカメラ部と操作パネル部が一体となっている機器では、機器内部で制御信号を送受信する。メモリ（記憶手段）１４もＣＰＵ（制御手段）１２と接続され、後述する操作キーの操作形態の記憶を行う。タリー信号入力部１５は、他のシステム１６からカメラ１の映像が現在オンエアー中であることを知らせるタリー信号を受信し、ＣＰＵ（制御手段）１２に送信する。
【００１８】
図２は、実施例１の各ハードキー（操作手段）の操作形態を設定する設定方法に関してのフローチャート図である。本フローでは、図１ａの複数のハードキー（操作手段）の中から５ａを例としてあげているが他のハードキー（操作手段）でも構わない。
【００１９】
最初に、操作形態を設定したい操作手段としてのハードキー５ａを長押しし、キー操作形態設定モードとする（ステップＳ１）。ハードキー５ａに内蔵のＬＥＤが点滅する（ステップＳ２）。本実施例では、ハードキー（操作手段）にＬＥＤが内蔵されているが、ＬＥＤが内蔵されていない場合は、他のハードキー（操作手段）のＬＥＤや、表示灯のために実装されているＬＥＤを点滅、点灯、又は、他の色へ変化させるなどで、当該ハードキー（操作手段）がキー操作形態設定モードとなっていることを示しても良い。また、図１ａの表示部６に設定中という文言を表示させたり、他のキーを押しながら設定できるようにしてもかまわない。
【００２０】
次に、タリー信号を受信していない通常状態においてハードキー（操作手段）５ａが押下された時の操作形態を選択する（ステップＳ３）。本実施例においては、ハードキー５ａが押下された時の操作形態として、以下の６通りの設定（ステップＳ４ａ、Ｓ４ｂ、Ｓ４ｃ、Ｓ４ｄ、Ｓ４ｅ、Ｓ４ｆ）から選択することを例示して説明する。
【００２１】
ハードキー（操作手段）５ａに割り当てられた機能が使用できないように無効化する場合は、ショットキー（設定手段）１１ａを押す（ステップＳ４ａ）。ハードキー（操作手段）５ａに割り当てられた機能を、１回押下される度に実行、停止とする場合は、ショットキー（設定手段）１１ｂを押す（ステップＳ４ｂ）。誤操作防止のためハードキー（操作手段）５ａが２回押下される度に実行、停止とする場合は、ショットキー（設定手段）１１ｃを押す（ステップＳ４ｃ）。また、ハードキー（操作手段）５ａを１回押下した場合、本キーが有効となり、再度押下した時、機能が実行、次に押下した場合、停止、更に押下した場合、本キーが無効化されるような、選択候補となる選択肢が順次変更されるサイクリック動作を設定する場合は、ショットキー（設定手段）１１ｄを押す（ステップＳ４ｄ）。ここで、ハードキー（操作手段）５ａが、実行、停止だけではなく、カメラのＧＡＩＮ設定のように、０ｄＢ、５ｄＢ、１０ｄＢ、２０ｄＢと設定値が段階的に変化する機能が割り当てられている場合は、このサイクリック動作の設定を行うと便利である。具体的には、最初の押下で本キーが有効となり、その後押下するたびに、ＧＡＩＮが段階的に上がる、又は、下がり、押下されなくなってから既定時間が経過すると、本キーが無効となる。他の操作形態として、ハードキー（操作手段）５ａを１回の押下で実行、２回の押下で停止と、実行、停止させるために必要な押下回数（接触回数、或いは、操作回数）に相違を持たせたい場合は、ショットキー（設定手段）１１ｅを押す（ステップＳ４ｅ）。反対に、ハードキー（操作手段）５ａを２回の押下で実行、１回の押下で停止としたい場合は、ショットキー（設定手段）１１ｆを押す（ステップＳ４ｆ）。
【００２２】
ステップＳ４ｅで設定される操作形態は、ハードキー（操作手段）５ａが、カメラの電源ＯＮ、ＯＦＦに割り当てられている時、電源ＯＮはすぐに実行したいが、ＯＦＦは誤操作防止のため２回押下したい場合等の時に有効である。逆に、ステップＳ４ｆで設定される操作形態は、デジタルカメラ、ビデオカメラ等をカバンに入れて移動中に、不用意に電源が入ることを防止するため、電源ＯＮは２回押下で実行し、電源ＯＦＦはすぐに出来るようにしたい時に有効である。ステップＳ４ｅ，４ｆで設定する操作形態においては、押下回数が２回、又は、１回と既定の回数となっているが、設定者が任意に押下回数を設定できるようにして、設定者しか分からないように簡易パスワードを設定して管理しても良い。例えば、押下回数を１０回に設定するなどしてサービスマン以外の、例えば、ユーザーが装置の電源ＯＮ又はＯＦＦが簡単に出来ないように設定することが可能となる。また、押下回数ではなく、ハードキーの押下時間（接触時間、操作時間）を任意に設定できるようにして、押下時間により機能の実行、停止が行えるよう設定しても良い。
【００２３】
続いて、図１のタリー信号入力部１５にタリー信号が入力された時、すなわち、カメラ１の映像が現在オンエアー中である時、の操作形態を変更する設定を行う（ステップＳ５）。タリー信号が入力された時、操作形態の変更を設定しない場合は、ショットキー（設定手段）１１ｈを押すことにより、処理は、ステップＳ７に進む。タリー信号が入力された時の操作形態を設定したい時は、ショットキー（設定手段）１１ａ〜１１ｆのいずれかを押下することにより、それぞれのショットキー（設定手段）に対応する操作形態を割り付ける。これにより、オンエアー中とオンエアーされていない時の操作形態の変更が可能となり、オンエアー中は誤操作防止を重要視し、オンエアー中でない時は、操作性を重要視するなど、撮影状況に応じた操作性の改善をすることができる。
【００２４】
本実施例では、タリー信号の有無により操作形態を変更する設定ができるようになっているが、タリー信号の出力源とは異なる、操作部７や、ズームレバー８等他の操作部を操作している時に出力される信号に基づいて操作形態を変更する設定にしても良い。また、ビデオカメラやデジタルカメラ等では、録画やズーミング中に出力される信号に基づいて操作形態を変更する設定ができるようにしても良い。これにより、装置が所望の状態の時に操作形態が変更する設定を事前に設定しておくことが可能となる。
【００２５】
タリー信号を受信中の操作形態の設定を終了後、ショットキー１１ｈを押すと、メモリ（記憶手段）１４に操作手段としてのハードキー（操作手段）５ａの操作形態が記憶され（ステップＳ７）、ハードキー（操作手段）５ａ内蔵のＬＥＤが消灯する（ステップＳ８）。引き続き他のハードキー（操作手段）の操作形態を設定したい場合（ステップＳ９）は、ステップＳ１〜ステップＳ９を繰り返す。
以上が、ハードキー（操作手段）の操作形態の設定方法に関するフローの説明である。
【００２６】
本実施例では、設定したハードキー（操作手段）の操作形態が分かるように、ハードキーが押下されていない時のハードキー内蔵ＬＥＤの色（操作手段の色）を変えている。１回押下で実行、停止に設定した場合は、ＬＥＤを非点灯、２回押下で実行、停止に設定した場合は橙色、サイクリックの場合は、黄色にしている。
【００２７】
また、本実施例では、操作形態の選択を、ショットキー（設定手段）１１ａ〜１１ｆのいずれかを押下することで成し得ているが、操作部７のジョイスティックや十字キーを設定手段として用い、それらを上下左右に操作することで選択したり、ズームレバー８、フォーカスつまみ９、アイリスつまみ１０を設定手段として用い、それらをＴＥＬＥ/ＷＩＤＥ、ＦＡＲ/ＮＥＡＲ、ＯＰＥＮ/ＣＬＯＳＥに操作して選択できるようにしてもかまわない。
【００２８】
以上、本実施例では、ハードキー（操作手段）の操作形態の設定方法について説明したが、ハードキーを持たないタッチパネル又は、ＰＣ画面上のソフトキー等の装置でも複数のソフトキーを使用して同様の設定が可能であることは言うまでもない。
【実施例２】
【００２９】
実施例１では、複数のハードキー（操作手段）を使用して、キー（操作手段）の操作形態を設定した。実施例２では、図１ａのタッチパネル付き表示部６を使用してキー（操作手段）の操作形態の設定を行うようにしたことが、実施例１とは異なる。
図３は、実施例２の各ハードキー（操作手段）の操作形態を、設定画面を表示する表示部６を使用して設定する方法に関してのフローチャート図である。
【００３０】
まず、表示部６画面内に表示されている操作キー設定アイコン（図示せず）をタッチする（ステップＳ５０）と、図４のような操作キー設定メニュ画面が表示される（ステップＳ５１）。図４のソフトキー（設定手段）５１ａ〜５１ｆは、図１ａのハードキー（操作手段）５ａ〜５ｆに各々対応しており、ハードキー（操作手段）５ａ〜５ｆのいずれかの操作形態を設定したい場合にタッチする。図４のプリセット手段としてのソフトキー５２ａ〜５２ｆは、ユーザーごとに設定されたハードキー（操作手段）５ａ〜５ｆの操作形態を図１のメモリ（記憶手段）１４から呼び出し、各ハードキー（操作手段）５ａ〜５ｆに反映させるプリセットキーである。ソフトキー５３は、図４の画面を閉じるキーである。ソフトキー５４は、各ハードキーを工場出荷時の操作形態に戻すキーである。
【００３１】
図４の操作キー設定メニュ画面で、既に設定された操作形態を呼び出し、ハードキー（操作手段）に反映する場合はステップＳ６１に進む（ステップＳ５２）。新規に操作形態を設定、又は、変更する場合は、設定したいハードキー（操作手段）５ａ〜５ｆのいずれかに対応したソフトキー（設定手段）５１ａ〜５１ｆをタッチする（ステップＳ５３）と、図５のようなキー設定画面が表示される（ステップＳ５４）。ここでは、図４の５１ａをタッチし、キー設定画面としてＰＯＷＥＲキー設定画面が表示された例を記述する。
【００３２】
次に、図５のＰＯＷＥＲキー設定画面で、各項目を設定する（ステップＳ５５）。図５で、ソフトキー（設定手段）６０は、ハードキー（操作手段）５ａの機能を無効に設定するキーである。図５の６１、６２は、ＯＮ、又は、ＯＦＦの操作形態を個別に設定する項目画面である。６３は、図１のタリー信号入力部１５にタリー信号が入力された時の操作形態を設定するタリー連動設定項目画面である。６３は、タリー信号に限定されるわけではなく、装置がズーミング、録画中等所望の状態の時、操作形態が変更する他の設定項目画面を設けても良い。
【００３３】
図５でソフトキー（設定手段）６４は、ハードキー（操作手段）５ａを１回押下することでＯＮ、又は、ＯＦＦとなるように設定するキーである。ソフトキー（設定手段）６５は、ハードキー（操作手段）５ａを１回押下することで、図６のように表示部６にポップアップ画面を表示させ、ポップアップ画面上のソフトキー（設定手段）７０でＯＮ、７１でＯＦＦさせるように設定するキーである。この設定を行うことで、ハードキーとソフトキーの併用でＯＮ、ＯＦＦ動作をさせるため誤操作防止となる。ソフトキー（設定手段）６６は、ハードキー（操作手段）５ａを１回押下することで、図６のポップアップ画面を表示させ、ハードキー（操作手段）５ａを押下する度にＯＮ、ＯＦＦを繰り返すサイクリック動作の確認を表示部６でできるように設定するキーである。また、ハードキー（操作手段）がカメラのＧＡＩＮ設定のように、０ｄＢ、５ｄＢ、１０ｄＢと段階的に変化する場合は、最初の押下でポップアップ画面を表示させ、その後押下するたびに、ＧＡＩＮが段階的に変化することが表示部６で確認できるようになっている。そして、ハードキー（操作手段）が押下されなくなってから既定時間が経過すると、ポップアップ画面を閉じる。ソフトキー（設定手段）６７ａ〜６７ｆは、設定された操作形態をユーザーごとに図１のメモリ１４に記憶するキーである。ソフトキー（設定手段）６８は、ハードキー（操作手段）５ａを工場出荷時の操作形態に戻すキーである。ソフトキー６９は、図４の操作キー設定メニュ画面に戻るキーである。
【００３４】
ステップＳ５５で各項目の操作形態を設定した後、ソフトキー（設定手段）６７ａ〜６７ｆのいずれかをタッチ(ステップＳ５６)して操作形態を図１のメモリ（記憶手段）１４に記憶する（ステップＳ５７）。このとき、ソフトキー（設定手段）６７ａ〜６７ｆをタッチしてメモリ（記憶手段）１４に記憶した操作形態はそれぞれ、ソフトキー（プリセット手段）５２ａ〜５２ｆに対応づけられる。次に、引き続き他のハードキーの設定を行う、又は、設定を終了する場合は、図５のソフトキー６９をタッチ（ステップＳ５８）して、図４の画面に戻す（ステップＳ５９）。他のハードキー（操作手段）の設定を行う場合は、ステップＳ５３〜ステップＳ５９を繰り返す（ステップＳ６０）。設定した操作形態をハードキーに反映させ終了する場合は、図４のソフトキー（プリセット手段）５２ａ〜５２ｆのいずれかを押す（ステップＳ６１）と、Ｓ５６において対応づけられた設定（操作形態）が反映され（ステップＳ６２）、図４の画面を閉じる（ステップＳ６３）。
実施例１，２では、操作手段としてハードキーを用いているが、もちろん、本発明はそれに限られるものではなく、操作手段としてソフトキーを用いても良いし、また、操作手段としてハードキーとソフトキーの両方を用いても良い。そしてこのことは、設定手段についても同様であり、設定手段としてハードキーとソフトキーの両方を用いても良い。
【００３５】
以上の実施例１、２においては、リモコンカメラの操作器について説明したが、本発明は、リモコンカメラの操作器に限定されるわけではなく、ハードキー又はソフトキー又はその両方を備えている電子機器で、例えばデジタルカメラ、ビデオカメラ、コピー機等の装置にも適応可能である。
【符号の説明】
【００３６】
３  操作器（操作装置）
４  操作パネル部
５ａ〜５ｆ  複数のハードキー（操作手段）
６  タッチパネル付き表示部（設定手段）
７  操作部（設定手段）
１１ａ〜１１ｈ  複数のショットキー（設定手段）
１２  ＣＰＵ（制御手段）
１３  雲台・カメラ制御インタフェース部（制御手段）
１４  メモリ（記憶手段）
【図１】
0005824245.tif 000002
【図１ａ】
0005824245.tif 000003
【図２】
0005824245.tif 000004
【図３】
0005824245.tif 000005
【図４】
0005824245.tif 000006
【図５】
0005824245.tif 000007
【図６】
0005824245.tif 000008